(57)【特許請求の範囲】
【請求項１】
電線を碍子の溝に沿わせた状態に支持する電線支持具であって、
前記電線と前記碍子との間に取り付けられる本体と、該本体と前記碍子との間に設けられるとともに、前記碍子の表面に押し付けられる緩衝部材と、該緩衝部材と前記本体との間に設けられるとともに、前記緩衝部材を前記碍子の表面に押し付ける押付け部材と、前記本体に設けられるとともに、間接活線工具の操作により進退して、前記押付け部材を介して前記緩衝部材を前記碍子の表面に押し付け、又は押し付けた状態を解除する固定部材とを備え、
前記本体は、内側に前記碍子を挿入させる碍子挿入部と、該碍子挿入部の先端に設けられるとともに、前記電線に引っ掛けられる電線引掛け部とを備え、前記碍子挿入部の内側に前記緩衝部材と前記押付け部材とが設けられ、前記碍子挿入部に前記固定部材が設けられ、
前記碍子挿入部は、平面視略Ｕ形状をなし、該碍子挿入部の先端に前記電線引掛け部がそれぞれ設けられていることを特徴とする電線支持具。
【請求項２】
前記固定部材は、前記碍子挿入部に設けられるとともに、前記電線引掛け部の方向に進退可能な六角ボルトであることを特徴とする請求項１に記載の電線支持具。
【請求項３】
前記電線引掛け部は、略Ｕ形状に湾曲されるとともに、湾曲部分が幅広に形成された湾曲部と、該湾曲部の内面側に電線を導く開口部とを備えていることを特徴とする請求項１又は２に記載の電線支持具。
【発明の詳細な説明】
【技術分野】
【０００１】
本発明は、電線を碍子に支持する電線支持具に関し、特に、間接活線工具を使用して電線を碍子に取り付け、或いは電線を碍子から取り外す作業を容易にすることができる電線支持具に関する。
【背景技術】
【０００２】
従来、間接活線工法による配電線作業において、碍子の溝に電線を沿わせて、間接活線工具（ホットスティックに先端工具として巻付グリップトングを取り付けたもの）を使用して、碍子と電線との間にバインドを巻き付けることにより電線を碍子に取り付け、或いは碍子と電線との間に巻き付けたバインドを取り外すことにより電線を碍子から取り外す作業が行われている。
【０００３】
このような作業においては、電柱の腕金に近接する箇所でホットスティックの先端工具を操作して、碍子と電線との間にバインドを巻き付け、或いは碍子と電線との間に巻き付けたバインドを取り外すことになるため、作業に熟練を要し、経験の浅い作業者では、バインドの被覆に傷を付けてバインドの品質を低下させたり、先端工具の金属部分を腕金や電線の被覆が剥がれている部分に接触させて地絡事故を起こす等のおそれがある。また、作業に細心の注意を払う必要があるため、作業に時間と手間を要し、作業効率が悪化する。
【０００４】
上記のような問題に対処するため、例えば、特許文献１に記載の技術を用いることが考えられる。特許文献１に記載の技術（バインドレスキャップ）は、一対の半裁クランプを上端部にて互いに軸支し、半裁クランプの下部外側面に対設した張出部に両半裁クランプを閉じたとき互いに合致する係合突起と係合孔を形成し、両半裁クランプを閉じることにより配電線を挟着すると同時に碍子を挟着するように構成したものである。
【０００５】
このような構成のバインドレスキャップを用いることにより、碍子と電線との間にバインドを巻き付ける必要がないので、バインドレスキャップの品質を低下させることはない。また、バインドレスキャップは合成樹脂製であるので、バインドレスキャップを腕金や電線の被覆が剥がれている箇所に接触させても地絡事故につながることはなく、経験の浅い作業者であっても安全に作業を行うことができる。さらに、両半裁クランプを閉じることにより配電線を挟着すると同時に碍子を挟着することができるので、作業を容易に短時間で行うことができ、作業効率を高めることができる。
【０００６】
しかし、特許文献１に記載のバインドレスキャップは、構造が複雑であるため、製造に手間がかかり、製造コストが高く付く。
【先行技術文献】
【特許文献】
【０００７】
【特許文献１】特開２０１０−１７６９７５号公報
【発明の概要】
【発明が解決しようとする課題】
【０００８】
本発明は、上記のような従来の問題に鑑みなされたものであって、作業に熟練を要することなく、経験の浅い作業者であっても安全に作業を行うことができ、さらに、作業に要する時間と手間を削減して作業効率を高めることができるとともに、構造が簡単で製造コストを低減させることができる電線支持具を提供することを目的とする。
【課題を解決するための手段】
【０００９】
上記のような課題を解決するために、本発明は、以下のような手段を採用している。
すなわち、本発明は、電線を碍子の溝に沿わせた状態に支持する電線支持具であって、前記電線と前記碍子との間に取り付けられる本体と、該本体と前記碍子との間に設けられるとともに、前記碍子の表面に押し付けられる緩衝部材と、該緩衝部材と前記本体との間に設けられるとともに、前記緩衝部材を前記碍子の表面に押し付ける押付け部材と、前記本体に設けられるとともに、間接活線工具の操作により進退して、前記押付け部材を介して前記緩衝部材を前記碍子の表面に押し付け、又は押し付けた状態を解除する固定部材とを備え、前記本体は、内側に前記碍子を挿入させる碍子挿入部と、該碍子挿入部の先端に設けられるとともに、前記電線に引っ掛けられる電線引掛け部とを備え、前記碍子挿入部の内側に前記緩衝部材と前記押付け部材とが設けられ、前記碍子挿入部に前記固定部材が設けられ、前記碍子挿入部は、平面視略Ｕ形状をなし、該碍子挿入部の先端に前記電線引掛け部がそれぞれ設けられていることを特徴とする。
【００１０】
本発明の電線支持具によれば、電線を碍子の溝に沿わせ、この状態で、間接活線工具に電線支持具を支持して、間接活線工具を操作することにより、電線支持具の本体を電線と碍子との間に取り付け、電線支持具を支持する間接活線工具とは別の間接活線工具を用いて、この間接活線工具を固定部材に取り付け、この間接活線工具を操作して固定部材を進退させることにより、押付け部材を介して緩衝部材を碍子の表面に押し付け、又は押し付けた状態を解除することができる。
従って、間接活線工具を操作して固定部材を進退させればよいので、電線を碍子の溝に沿わせた状態に固定する作業、固定した状態を解除する作業を容易に、短時間で、効率良く行うことができる。
また、本体と緩衝部材と押付け部材と固定部材とからなる簡単な構造のものであるので、容易に製造することができ、製造コストを低減させることができ、安価なものを提供することができる。
【００１２】
また、碍子挿入部の内側に碍子を挿入させ、この状態で電線引掛け部を電線に引っ掛けることにより、本体を電線と碍子との間に取り付けることができるとともに、押付け部材を介して緩衝部材を碍子の表面に押し付けることができる。
【００１３】
また、本発明において、前記固定部材は、前記碍子挿入部に設けられるとともに、前記電線引掛け部の方向に進退可能な六角ボルトであることとしてもよい。
【００１４】
本発明の電線支持具によれば、間接活線工具を操作して六角ボルトを進退させることにより、押付け部材を介して緩衝部材を碍子の表面に押し付け、又は押し付けた状態を解除することができる。
従って、電線を碍子の溝に沿わせた状態に固定する作業、固定した状態を解除する作業を容易に、短時間で、効率良く行うことができる。
【００１７】
また、本発明において、前記電線引掛け部は、略Ｕ形状に湾曲されるとともに、湾曲部分が幅広に形成された湾曲部と、該湾曲部の内面側に電線を導く開口部とを備えていることとしてもよい。
【００１８】
本発明の電線支持具によれば、電線引掛け部の湾曲部は、湾曲部分が幅広に形成されているので、電線の被覆に局部的に荷重が集中して被覆に傷がつくようなことはなく、電線の品質を維持することができる。
【発明の効果】
【００１９】
以上、説明したように、本発明の電線支持具によれば、電線を碍子の溝に沿わせた状態に固定する作業、又は固定した状態を解除する作業を容易に、短時間で、効率良く行うことができる。
また、間接活線工具を操作して固定部材を進退させればよいので、作業に熟練を要することはなく、経験の浅い作業者であっても安全に作業を行うことができる。
さらに、構造が簡単なので、製造コストを低減させることができ、安価なものを提供することができる。
【図面の簡単な説明】
【００２０】
【図１】本発明による電線支持具の一実施の形態の全体を示した平面図であって、緩衝部材を碍子の表面に押し付ける前の状態を示した平面図である。
【図２】図１の正面図である。
【図３】緩衝部材を碍子の表面に押し付けた後の状態を示した平面図である。
【図４】図３の正面図である。
【図５】電線支持具の取り付け手順を示した説明図であって、電線を碍子の溝に沿わせ、電線支持具を碍子の方向に送り出している状態を示した説明図である。
【図６】碍子挿入部の内側に碍子を挿入し、電線引掛け部の開口部が電線の上方に位置するように電線支持具を位置決めしている状態を示した説明図である。
【図７】電線支持具を碍子に沿って下方に移動させるとともに、電線支持具を水平方向に移動させることにより、開口部から電線を電線引掛け部の湾曲部の内面側に導いている状態を示した説明図である。
【図８】間接活線工具の間接ラチェットを操作し、緩衝部材の内面を碍子の表面に押し付けている状態を示した説明図である。
【発明を実施するための形態】
【００２１】
以下、図面を参照しながら本発明の実施の形態について説明する。
図１〜図４には、本発明による電線支持具の一実施の形態が示されている。本実施の形態の電線支持具１は、間接活線工法により電線２５を碍子２６に支持する際に適用され、電線２５を碍子２６に取り付ける作業、及び電線２５を碍子２６から取り外す作業を容易に行うことができるように構成したものである。
【００２２】
電線支持具１は、電線２５を碍子２６の溝２７に沿わせた状態で、電線２５と碍子２６との間に取り付けられる本体２と、本体２と碍子２６との間に設けられるとともに、碍子２６の表面に押し付けられる緩衝部材１８と、緩衝部材１８と本体２との間に設けられるとともに、緩衝部材１８を碍子２６の表面に押し付ける押付け部材１３と、押付け部材１３により緩衝部材１８を碍子２６の表面に押し付けた状態に固定する固定部材としての六角ボルト２０を備えている。
【００２３】
本体２は、平面視略Ｕ形状の碍子挿入部３と、碍子挿入部３の両腕部５、５の先端にそれぞれ設けられる一対の電線引掛け部１０、１０とを備え、碍子挿入部３の内側に碍子２６を挿入させた状態で、両電線引掛け部１０、１０を電線２５に引っ掛けるように構成されている。
【００２４】
碍子挿入部３には、内面３ａ側が開口する断面コ形状の支持溝８が全体に亘って設けられ、この支持溝８によって後述する押付け部材１３が両腕部５、５の先端方向に移動可能に支持されている。
【００２５】
碍子挿入部３の頂部４には、外方に突出する中実の突起６が一体に設けられ、この突起６の中心部に支持溝８の内外を貫通するねじ孔７が設けられ、このねじ孔により六角ボルト２０が両腕部５、５の先端方向に進退可能に支持されている。
【００２６】
電線引掛け部１０は、碍子挿入部３の両腕部５、５の先端の上面３ｂ側から延出する板状をなすものであって、基端が両腕部５、５と同一幅に形成されるとともに、先端に行くほど幅広に形成され、この幅広に形成された部分が下方に湾曲された側面視略Ｕ形状の湾曲部１１に形成され、この湾曲部１１の内面１１ａ側に電線２５を引っ掛けるように構成されている。
【００２７】
なお、電線引掛け部１０の内面１０ａは、碍子挿入部３の内面３ａと面一に形成され、両電線引掛け部１０、１０内面１０ａ、１０ａ間を通じて、碍子挿入部３の内面３ａ側に碍子２６を挿入する際に、碍子２６の表面が内面３ａと内面１０ａとの繋ぎ目に引っ掛かるのを防止している。
【００２８】
電線引掛け部１０の湾曲部１１の先端と碍子挿入部３の下面３ｃとの間には、所定の幅の開口部１２が設けられ、この開口部１２を通じて湾曲部１１の内面１１ａ側に電線２５が挿入されるようになっている。
【００２９】
なお、本実施の形態においては、開口部１２に面する碍子挿入部３の端面を、下面３ｃから上面３ｂに向かって電線引掛け部１０の方向に順次近づく傾斜面に形成し、電線２５を湾曲部１１の内面１１ａ側に導き易くしている。
【００３０】
押付け部材１３は、平面視略Ｃ形状の板状をなすものであって、碍子挿入部３の支持溝８内に、碍子挿入部３の両腕部５、５の先端方向に進退可能に設けられている。
【００３１】
押付け部材１３の図１中右端部外側面（以下、頂部１４という。）は平面に形成され、この頂部１４の中心部に、碍子挿入部３の突起６のねじ孔７を貫通した六角ボルト２０のねじ部２１の先端が連結手段１５を介して連結されている。
【００３２】
連結手段１５は、例えば、押付け部材１３の頂部１４の内外を貫通する挿通孔１４ａを挿通して、先端が六角ボルト２０のねじ部２２の先端に連結される連結ピン１６と、連結ピン１６の頭部と挿通孔１４ａの内面側の周縁部との間に介装される軸受（図示せず）とから構成されている。連結ピン１６と軸受とにより、六角ボルト２０のねじ部２２の先端を押付け部材１３の頂部１４に回転可能に連結することができ、六角ボルト２０の回転に追従して、押付け部材１３を支持溝８に沿って両腕部５、５の先端方向に進退させることができる。
なお、連結手段１５は、上記の組み合わせに限らず、六角ボルト２０の先端を押付け部材１３の頂部１４に回転可能に連結することができるものであればよい。
【００３３】
緩衝部材１８は、弾性変形可能なゴム等の弾性材から形成される略Ｕ形状の板状をなすものであって、外面１８ｂ側が押付け部材１３の内面１３ａ側に接着剤、ねじ等の接合手段によって接合されている。緩衝部材１８は、押付け部材１３と一体に支持溝８内を両腕５、５の先端方向に進退して、内面１８ａ側が碍子挿入部３の内面３ａ側に挿入された碍子２６の表面に押し付けられるようになっている。
【００３４】
そして、上記のように構成した本実施の形態の電線支持具１を用いて、電線２５を碍子２６に支持するには、まず、図５に示すように、電線２５を碍子２６の溝２７に沿わせ、この状態で、絶縁操作棒の先端に例えばヤットコを取り付けた第１間接活線工具２９を用いて電線支持具１を支持し、第１間接活線工具２９を操作して図中右方向から電線支持具１を碍子２６の方向に送り出して、図６に示すように、碍子挿入部３の内側に碍子２６を挿入し、電線引掛け部１０の開口部１２が電線２５の上方に位置するように電線支持具１を位置決めする。
【００３５】
次に、図７に示すように、第１間接活線工具２９を操作して電線支持具１を碍子２６に沿って下方に移動させるとともに、第１間接活線工具２９を操作して図中右方向に電線支持具１を移動させることにより、開口部１２から電線２５を電線引掛け部１０の湾曲部１１の内面１１ａ側に導く。
【００３６】
次に、同図において、先端工具として間接ラチェット３１を取り付けた第２間接活線工具３０を用い、第２間接活線工具３０の間接ラチェット３１を六角ボルト２０の頭部２１に装着し、第２間接活線工具３０を六角ボルト２０の軸線に対して左右方向に振るように操作することにより六角ボルト２０を軸線周りに回転させる。このようにして、六角ボルト２０を碍子挿入部３のねじ孔７（図１〜４参照）に締め込み、六角ボルト２０を両腕部５、５の先端方向に前進させ、六角ボルト２０に追従して押付け部材１３を同一方向に移動させ、図８に示すように、押付け部材１３の内面１３ａ側の緩衝部材１８の内面１８ａを碍子２６の表面に押し付ける。
【００３７】
これより、電線２５及び碍子２６を電線引掛け部１０、１０の湾曲部１１の内面１１ａと緩衝部材１８の内面１８ａとの間で挟持することができ、電線２５を碍子２６の溝２７に沿わせた状態に固定することができる。
なお、電線２５を碍子２６の溝２７から取り外す場合には、上記の手順の逆を辿ればよいことになる。
【００３８】
上記のように構成した本実施の形態の電線支持具１にあっては、電線２５を碍子２６の溝２７に沿わせた状態で、第１間接活線工具２９に電線支持具１を支持して、第１間接活線工具２９を操作することにより碍子挿入部３の内側に碍子２６を挿入して、電線引掛け部１０の湾曲部１１の内面１１ａ側に電線２５を導き、この状態で、第２間接活線工具３０の間接ラチェット３１を六角ボルト２０の頭部２１に装着して、第２間接活線工具３０を操作して六角ボルト２０を締め付け、押付け部材１３を両腕部５、５の先端方向に前進させて、押付け部材１３の内面１３ａ側の緩衝部材１８の内面１８ａ側を碍子２６の表面に押し付けることにより、電線引掛け部１０の湾曲部１１の内面１３ａと緩衝部材１８の内面１８ａとの間で電線２５及び碍子２６を挟持することができ、電線２５を碍子２６の溝２７に沿わせた状態に固定することができる。
【００３９】
この場合、第２間接活線工具３０の間接ラチェット３１を六角ボルト２０の軸線に対して左右に振るように操作すればよいので、作業に熟練を要することはなく、経験の浅い作業者であっても、作業を容易に、短時間で、効率良く行うことができる。
【００４０】
また、電柱の腕金に近接する箇所での作業であっても、間接ラチェット３１が腕金に接触したり、電線２５の被覆が剥がれている箇所に接触する心配はほとんどないので、経験の浅い作業者であっても、作業を安全に行うことができる。
【００４１】
また、第２間接活線工具３０の間接ラチェット３１で電線支持具１を傷付けるようなことはないので、電線支持具１としての機能を維持することができ、電線２５を碍子２６の溝２７に沿わせた状態に固定し続けることができる。
【００４２】
また、電線引掛け部１０の湾曲部１１は、湾曲部分が幅広に形成されているので、電線２５の被覆に局部的に荷重が集中して被覆に傷がつくようなことはなく、電線２５の品質を維持することができる。
【００４３】
さらに、電線支持具１は、電線２５と碍子２６との間に取り付けられる本体２と、本体２と碍子２６との間に設けられるとともに、碍子２６の表面に押し付けられる緩衝部材１８と、緩衝部材１８と本体２との間に設けられるとともに、緩衝部材１８を碍子２６の表面に押し付ける押付け部材１３と、押付け部材１３により緩衝部材１８を碍子２６の表面に押し付けた状態に固定する六角ボルト２０とからなる簡単な構造のものであるので、容易に製造することができ、製造コストを低減させることができ、安価なものを提供することができる。
【符号の説明】
【００４４】
１  電線支持具
２  本体
３  碍子挿入部
３ａ  内面
３ｂ  上面
３ｃ  下面
４  頂部
５  腕部
６  突起
７  ねじ孔
８  支持溝
１０  電線引掛け部
１０ａ  内面
１１  湾曲部
１１ａ  内面
１２  開口部
１３  押付け部材
１３ａ  内面
１４  頂部
１４ａ  挿通孔
１５  連結部材
１６  連結ピン
１８  緩衝部材
１８ａ  内面
１８ｂ  外面
２０  固定部材（六角ボルト）
２１  頭部
２２  ねじ部
２５  電線
２６  碍子
２７  溝
２９  第１間接活線工具
３０  第２間接活線工具
３１  先端工具（間接ラチェット）
【図１】
0006672891.tif 000002
【図２】
0006672891.tif 000003
【図３】
0006672891.tif 000004
【図４】
0006672891.tif 000005
【図５】
0006672891.tif 000006
【図６】
0006672891.tif 000007
【図７】
0006672891.tif 000008
【図８】
0006672891.tif 000009